(57)【要約】【課題】可動する部材を複数設けることで演出を多様化するとともに、コスト及び可動する部材を動作させるモータの設置スペースを抑えることができる遊技機を提供すること。【解決手段】  パチスロ１は、左スライドプレート７１２が、左平坦部７２２ａと当接しているときに駆動左上カバー７６１及び駆動左下カバー７６２を閉状態とし、左突起部７２２ｂと当接しているときに駆動左上カバー７６１及び駆動左下カバー７６２を開状態とし、センタースライドプレート左７１３及びセンタースライドプレート右７１４が、センター左平坦部７２３ａ及びセンター右平坦部７２４ａと当接しているときに駆動センター上カバー７６３及び駆動センター下カバー７６４を閉状態とし、センター左突起部７２３ｂ及びセンター右突起部７２４ｂと当接しているときに駆動センター上カバー７６３及び駆動センター下カバー７６４を開状態とする。【選択図】図７
2011087756.tif 000002
【特許請求の範囲】
【請求項１】
発光する第１発光部及び第２発光部と、
前記第１発光部の前面に設けられ、前記第１発光部を遮蔽する閉状態及び前記第１発光部が視認可能となる開状態の双方向に移行する第１カバーと、
前記第２発光部の前面に設けられ、前記第２発光部を遮蔽する閉状態及び前記第２発光部が視認可能となる開放状態の双方向に移行する第２カバーと、
前記第１カバーと係合し、前記第１カバーを前記閉状態及び前記開状態の双方向に移行させるスライド可能な第１スライド部材と、
前記第２カバーと係合し、前記第２カバーを前記閉状態及び前記開状態の双方向に移行させるスライド可能な第２スライド部材と、
回転軸を回転させるモータと、
前記回転軸に固定され、前記第１スライド部材に当接する第１当接面を有し、前記第１当接面を前記回転軸の回転にともない前記第１スライド部材に摺接させて、前記第１スライド部材をスライドさせる第１カムと、
前記回転軸に固定され、前記第２スライド部材に当接する第２当接面を有し、前記第２当接面を前記回転軸の回転にともない前記第２スライド部材に摺接させて、前記第２スライド部材をスライドさせる第２カムと、
前記モータの回転を制御するモータ制御手段と、を備え、
前記第１カムには、第１カム平坦部と、前記第１カム平坦部より前記回転軸の軸心から前記第１当接面までの距離が大きい第１カム突起部とが形成され、
前記第２カムには、第２カム平坦部と、前記第２カム平坦部より前記回転軸の軸心から前記第２当接面までの距離が大きい第２カム突起部とが形成され、
前記回転軸の回転方向における、前記第１カム突起部が形成された範囲と前記第２カム突起部が形成された範囲とは互いに異なり、
前記第１スライド部材は、前記第１カム平坦部と当接しているときに前記第１カバーを前記閉状態とし、前記第１カム突起部と当接しているときに前記第１カバーを前記開状態とし、
前記第２スライド部材は、前記第２カム平坦部と当接しているときに前記第２カバーを前記閉状態とし、前記第２カム突起部と当接しているときに前記第２カバーを前記開状態とすることを特徴とする遊技機。
【請求項２】
前記第１カムには、前記回転軸の回転方向における前記第２カム平坦部が形成された範囲において、前記第１カム平坦部から前記第１カム突起部に移行する第１カム移行部が形成され、
前記モータ制御手段は、前記第１カム移行部が形成された範囲の前記第１当接面だけが前記第１スライド部材に摺接するように、前記モータの回転を制御することを特徴とする請求項１に記載の遊技機。
【発明の詳細な説明】
【技術分野】
【０００１】
本発明は、パチスロ等の遊技機に関する。
【背景技術】
【０００２】
従来、複数の図柄がそれぞれの表面に配された複数のリールと、遊技メダルやコイン等（以下、「メダル等」という）が投入され、遊技者によりスタートレバーが操作されたことを検出し、複数のリールの回転の開始を要求するスタートスイッチと、複数のリールのそれぞれに対応して設けられたストップボタンが遊技者により押されたことを検出し、該当するリールの回転の停止を要求する信号を出力するストップスイッチと、複数のリールのそれぞれに対応して設けられ、それぞれの駆動力を各リールに伝達するステッピングモータと、スタートスイッチ及びストップスイッチにより出力された信号に基づいて、ステッピングモータの動作を制御し、各リールの回転及びその停止を行うリール制御部と、を備え、スタートレバーが操作されたことを検出すると、乱数値に基づいて抽籤を行い、この抽籤の結果（以下、「内部当籤役」という）とストップボタンが操作されたことを検出したタイミングとに基づいてリールの回転の停止を行う、パチスロと呼ばれる遊技機が知られている。
【０００３】
このような遊技機は、遊技の進行にともない可動部材を用いた様々な演出が行われる。
このような可動部材を用いた演出を行う遊技機には、光等で演出を行う表示装置を常時、遊技者に対して視認可能にするのでなく、可動部材である遮蔽部材によって、視認不可能なように遮蔽したり、視認可能なように開放したりする遊技機がある。
【０００４】
例えば、発光体の光を反射する反射部材を有し回転変位する回転発光部と、左右に回転発光部の視認を阻止する遮蔽位置及び前方からの回転発光部の視認を許容する開放位置に変位可能な一対の遮蔽部材と、これら一対の遮蔽部材を左右方向に移動する駆動手段とを設けた遊技機が提案されている（特許文献１）。
【０００５】
特許文献１に記載の遊技機によれば、光体の光を反射する回転発光部を一対の遮蔽部材により視認不可能とし、モータによって一対の遮蔽部材を左右方向に移動させることで、視認不可能であった回転発光部の視認を許容することができる。
これにより、可動部材である遮蔽部材の作動、及び視認が阻止されているために見慣れなかった回転発光部の出現等により、演出を多様化させて、遊技の興趣を高めることができる。
【先行技術文献】
【特許文献】
【０００６】
【特許文献１】特開２００６−３１１９０１号公報
【発明の概要】
【発明が解決しようとする課題】
【０００７】
しかしながら、特許文献１に記載の遊技機は、単に左右に移動するだけの一対の遮蔽部材を１つだけしか設けていないので、遊技者にとって遮蔽部材の動作が単調なものとなる。
また、特許文献１に記載の遊技機は、一対の遮蔽部材を移動させるために、１つのモータが必要となる。このため、一対の遮蔽部材が複数あった場合、これら一対の遮蔽部材を移動させるためには、同数のモータが必要となり、コストが高騰する。また、遊技機の内部に複数のモータを設けた場合、遊技機の内部という限られたスペースを圧迫する。よって、一対の遮蔽部材を複数設けて、演出を多様化するのは困難であった。
【０００８】
そこで、本発明は、可動する部材を複数設けることで演出を多様化するとともに、コスト及び可動する部材を動作させるモータの設置スペースを抑えることができる遊技機を提供することを目的とする。
【課題を解決するための手段】
【０００９】
本発明では、以下のようなものを提供する。
（１）  発光する第１発光部（例えば、後述のセンターサイドレンズユニット７４０Ｌ等）及び第２発光部（例えば、後述のセンター役物レンズユニット７３０）と、前記第１発光部の前面に設けられ、前記第１発光部を遮蔽する閉状態及び前記第１発光部が視認可能となる開状態の双方向に移行する第１カバー（例えば、後述の駆動左上カバー７６１及び駆動左下カバー７６２等）と、前記第２発光部の前面に設けられ、前記第２発光部を遮蔽する閉状態及び前記第２発光部が視認可能となる開放状態の双方向に移行する第２カバー（例えば、後述の駆動センター上カバー７６３及び駆動センター下カバー７６４）と、前記第１カバーと係合し、前記第１カバーを前記閉状態及び前記開状態の双方向に移行させるスライド可能な第１スライド部材（例えば、後述の左スライドプレート７１２等）と、前記第２カバーと係合し、前記第２カバーを前記閉状態及び前記開状態の双方向に移行させるスライド可能な第２スライド部材（例えば、後述のセンタースライドプレート左７１３及びセンタースライドプレート右７１４）と、回転軸（例えば、後述の駆動軸７２１）を回転させるモータ（例えば、後述のモータ７２０）と、前記回転軸に固定され、前記第１スライド部材に当接する第１当接面（例えば、後述の左当接面７２２Ａ等）を有し、前記第１当接面を前記回転軸の回転にともない前記第１スライド部材に摺接させて、前記第１スライド部材をスライドさせる第１カム（例えば、後述の左カム７２２等）と、前記回転軸に固定され、前記第２スライド部材に当接する第２当接面（例えば、後述のセンター左当接面７２３Ａ及びセンター右当接面７２４Ａ）を有し、前記第２当接面を前記回転軸の回転にともない前記第２スライド部材に摺接させて、前記第２スライド部材をスライドさせる第２カム（例えば、後述のセンター左カム７２３及びセンター右カム７２４）と、前記モータの回転を制御するモータ制御手段（例えば、後述の副制御回路７２）と、を備え、前記第１カムには、第１カム平坦部（例えば、後述の左平坦部７２２ａ等）と、前記第１カム平坦部より前記回転軸の軸心から前記第１当接面までの距離が大きい第１カム突起部（例えば、後述の左突起部７２２ｂ等）とが形成され、前記第２カムには、第２カム平坦部（例えば、後述のセンター左平坦部７２３ａ及びセンター右平坦部７２４ａ）と、前記第２カム平坦部より前記回転軸の軸心から前記第２当接面までの距離が大きい第２カム突起部（例えば、後述のセンター左突起部７２３ｂ及びセンター右突起部７２４ｂ）とが形成され、前記回転軸の回転方向における、前記第１カム突起部が形成された範囲と前記第２カム突起部が形成された範囲とは互いに異なり、前記第１スライド部材は、前記第１カム平坦部と当接しているときに前記第１カバーを前記閉状態とし、前記第１カム突起部と当接しているときに前記第１カバーを前記開状態とし、前記第２スライド部材は、前記第２カム平坦部と当接しているときに前記第２カバーを前記閉状態とし、前記第２カム突起部と当接しているときに前記第２カバーを前記開状態とすることを特徴とする遊技機。
【００１０】
（１）の遊技機によれば、回転軸を回転させるモータと、第１発光部を遮蔽する閉状態及び第１発光部が視認可能となる開状態の双方向に移行する第１カバーと、第２発光部を遮蔽する閉状態及び第２発光部が視認可能となる開放状態の双方向に移行する第２カバーと、第１カバーと係合し、第１カバーを閉状態及び開状態の双方向に移行させるスライド可能な第１スライド部材と、第２カバーと係合し、第２カバーを閉状態及び開状態の双方向に移行させるスライド可能な第２スライド部材と、回転軸を回転させるモータと、この回転軸に固定され、第１スライド部材に当接する第１当接面を有し、この第１当接面を回転軸の回転にともない第１スライド部材に摺接させて、第１スライド部材をスライドさせる第１カムと、回転軸に固定され、第２スライド部材に当接する第２当接面を有し、第２当接面を回転軸の回転にともない第２スライド部材に摺接させて、第２スライド部材をスライドさせる第２カムと、モータの回転を制御するモータ制御手段と、を備えた。また、第１カムには、第１カム平坦部と、第１カム平坦部より回転軸の軸心から第１当接面までの距離が大きい第１カム突起部とを形成し、第２カムには、第２カム平坦部と、第２カム平坦部より回転軸の軸心から第２当接面までの距離が大きい第２カム突起部とを形成した。また、回転軸の回転方向における、第１カム突起部が形成された範囲と第２カム突起部が形成された範囲とは互いに異ならせ、第１スライド部材が第１カム平坦部と当接しているときに第１カバーを閉状態とし、第１スライド部材が第１カム突起部と当接しているときに第１カバーを開状態とし、第２スライド部材が第２カム平坦部と当接しているときに第２カバーを閉状態とし、第２スライド部材が第２カム突起部と当接しているときに第２カバーを開状態とした。
【００１１】
そのため、まず、第１カバーは、第１発光部を遮蔽する閉状態となっている。このとき、第１カバーと係合する第１スライド部材は、第１カムの第１カム平坦部の第１当接面と当接している。また、第２カバーは、第２発光部を遮蔽する閉状態となっている。このとき、第２カバーと係合する第２スライド部材は、第２カムの第２カム平坦部の第２当接面と当接している。
次に、モータ制御手段の制御によりモータを回転する。これにより、回転軸とともに、第１カム及び第２カムが回転する。そして、第１カムは、第１スライド部材に摺接しながら回転し、第１スライド部材に当接する第１当接面を第１カム平坦部から第１カム突起部に移行する。これにより、第１スライド部材は、スライドし、第１カバーを閉状態から開状態に移行させる。これにより、第１発光部が視認可能となる。一方、第２カムは、第２スライド部材に摺接しながら回転し、第２スライド部材に当接する第２当接面を第２カム平坦部から、上記第１カム突起部が形成された範囲とは異なる範囲に形成された第２カム突起部に移行する。これにより、第２スライド部材は、スライドし、上記第１カバーが開状態に移行されたタイミングと異なるタイミングで、第２カバーを閉状態から開状態に移行させる。これにより、第２発光部が視認可能となる。
【００１２】
よって、（１）に記載の発明によれば、複数の可動部材である第１カバー及び第２カバーを、１つのモータにより、それぞれ異なるタイミングで閉状態から開状態に移行できる。
したがって、可動する部材を複数設けることで演出を多様化するとともに、コスト及び可動する部材を動作させるモータの設置スペースを抑えることができる。
【００１３】
（２）  （１）に記載の遊技機において、前記第１カムには、前記回転軸の回転方向における前記第２カム平坦部が形成された範囲において、前記第１カム平坦部から前記第１カム突起部に移行する第１カム移行部（例えば、後述の左移行部７２２ｃ等）が形成され、前記モータ制御手段は、前記第１カム移行部が形成された範囲の前記第１当接面だけが前記第１スライド部材に摺接するように、前記モータの回転を制御する。
【００１４】
（２）の遊技機によれば、第１カムに、回転軸の回転方向における第２カム平坦部が形成された範囲において、第１カム平坦部から第１カム突起部に移行する第１カム移行部を形成した。また、モータ制御手段は、第１カム移行部が形成された範囲の第１当接面だけが第１スライド部材に摺接するように、モータの回転を制御した。
そのため、モータ制御手段のモータの制御により、第１カムは、第１カム移行部が形成された範囲において、第１スライド部材に摺接しながら回転し、第１スライド部材に当接する第１当接面を第１カム平坦部から第１カム突起部に移行する。これにより、第１スライド部材は、スライドし、第１カバーを閉状態から開状態に移行させる。これにより、第１発光部が視認可能となる。一方、第２カムは、第２カム平坦部が形成された範囲において、第２スライド部材に摺接しながら回転しているので、第２カバーを閉状態のまま維持する。
【００１５】
よって、（２）に記載の発明によれば、複数の可動部材である第１カバー及び第２カバーのうち、第１カバーだけを閉状態から開状態に移行できる。すなわち、１つのモータで、複数の可動部材を個別に可動できる。
したがって、可動する部材を複数設けることで演出を多様化するとともに、コスト及び可動する部材を動作させるモータの設置スペースを抑えることができる。
【発明の効果】
【００１６】
本発明によれば、可動する部材を複数設けることで演出を多様化するとともに、コスト及び可動する部材を動作させるモータの設置スペースを抑えることができる遊技機を提供することができる。
【図面の簡単な説明】
【００１７】
【図１】本発明の実施形態におけるパチスロの機能フローを示す図である。
【図２】本発明の実施形態におけるパチスロの正面図である。
【図３】本発明の実施形態におけるパチスロの斜視図である。
【図４】本発明の実施形態におけるパチスロの回路構成を示す図である。
【図５】本発明の実施形態におけるパチスロの回路構成を示す図である。
【図６】本発明の実施形態におけるパチスロの表示部の分解図である。
【図７】本発明の実施形態におけるパチスロの駆動部の分解斜視図である。
【図８】本発明の実施形態におけるパチスロの駆動部と駆動左上カバー、駆動左下カバー、駆動センター上カバー、駆動センター下カバー、駆動右上カバー及び駆動右下カバーとの関係を示す説明図である。
【図９】本発明の実施形態におけるパチスロの駆動部のカムの説明図である。
【図１０】本発明の実施形態におけるパチスロのセンター役物レンズユニット及びセンターサイドレンズユニットの正面図である。
【図１１】本発明の実施形態におけるパチスロのセンター照明ユニットの動作の説明図である。
【発明を実施するための形態】
【００１８】
［パチスロの機能フロー］
本発明の遊技機に係る実施の形態について、以下図面を参照しながら説明する。はじめに、図１を参照して、本実施形態における遊技機（以下、パチスロ）１の機能フローについて説明する。図１は、本発明の実施形態におけるパチスロの機能フローを示す図である。
【００１９】
遊技者によりメダルが投入され、スタートレバー６が操作されると、予め定められた数値の範囲（例えば、０〜６５５３５）の乱数から１つの値（以下、乱数値）が抽出される。
【００２０】
内部抽籤手段（後述のメインＣＰＵ３１）は、抽出された乱数値に基づいて抽籤を行い、内部当籤役を決定する。内部当籤役の決定により、後述の入賞判定ラインに沿って表示を行うことを許可する図柄の組合せが決定される。尚、図柄の組合せの種別としては、メダルの払い出し、再遊技の作動、ボーナスの作動等といった特典が遊技者に与えられる「入賞」に係るものと、それ以外のいわゆる「ハズレ」に係るものとが設けられている。
【００２１】
続いて、複数のリール３Ｌ，３Ｃ，３Ｒの回転が行われた後で、遊技者によりストップボタン７Ｌ，７Ｃ，７Ｒが押されると、リール停止制御手段（後述のモータ駆動回路３９、後述のステッピングモータ４９Ｌ，４９Ｃ，４９Ｒ）は、内部当籤役とストップボタンが押されたタイミングとに基づいて、該当するリールの回転を停止する制御を行う。
【００２２】
ここで、パチスロ１では、基本的に、ストップボタンが押されたときから規定時間（１９０ｍｓｅｃ）内に、該当するリールの回転を停止する制御が行われる。本実施形態では、上記規定時間内でのリール３Ｌ，３Ｃ，３Ｒの回転に伴って移動する図柄の数を「滑り駒数」と呼び、その最大数を図柄４個分に定める。
【００２３】
リール停止制御手段は、入賞に係る図柄の組合せの表示を許可する内部当籤役が決定されているときでは、上記規定時間を利用して、その図柄の組合せが入賞判定ラインに沿って極力表示されるようにリール３Ｌ，３Ｃ，３Ｒの回転を停止する。その一方で、内部当籤役によってその表示が許可されていない図柄の組合せについては、上記規定時間を利用して、入賞判定ラインに沿って表示されることがないようにリール３Ｌ，３Ｃ，３Ｒの回転を停止する。
【００２４】
こうして、複数のリール３Ｌ，３Ｃ，３Ｒの回転が全て停止されると、入賞判定手段（後述のメインＣＰＵ３１）は、入賞判定ラインに沿って表示された図柄の組合せが、入賞に係るものであるか否かの判定を行う。入賞に係るものであるとの判定が行われると、メダルの払い出し等の特典が遊技者に与えられる。以上のような一連の流れがパチスロ１における１回の遊技として行われる。
【００２５】
また、パチスロ１では、前述した一連の流れの中で、液晶表示装置５により行う映像の表示、センター照明ユニット７０及びサイド照明ユニット７５Ｌ，７５Ｒにより行う発光、センター照明ユニット７０における駆動左上カバー７６１、駆動左下カバー７６２、駆動センター上カバー７６３、駆動センター下カバー７６４、駆動右上カバー７６５及び駆動右下カバー７６６の駆動、スピーカ９Ｌ，９Ｒにより行う音の出力、或いはこれらの組合せを利用して様々な演出が行われる。
【００２６】
遊技者によりスタートレバー６が操作されると、前述の内部当籤役の決定に用いられた乱数値とは別に、演出用の乱数値（以下、演出用乱数値）が抽出される。演出用乱数値が抽出されると、演出内容決定手段（後述のサブＣＰＵ８１）は、内部当籤役に対応づけられた複数種類の演出内容の中から今回実行するものを抽籤により決定する。
【００２７】
演出内容が決定されると、演出実行手段（後述の液晶表示装置５、後述のスピーカ９Ｌ，９Ｒ、後述のセンター照明ユニット７０及びサイド照明ユニット７５Ｌ，７５Ｒ）は、リール３Ｌ，３Ｃ，３Ｒの回転が開始されるとき、各リール３Ｌ，３Ｃ，３Ｒの回転がそれぞれ停止されるとき、入賞の有無の判定が行われたとき等の各契機に連動させて演出の実行を進める。このように、パチスロ１では、内部当籤役に対応づけられた演出内容を実行することによって、決定された内部当籤役（言い換えると、狙うべき図柄の組合せ）を知る或いは予想する機会が遊技者に提供され、遊技者の興味の向上が図られる。
【００２８】
［パチスロの全体構造］
パチスロ１の機能フローについての説明は以上である。次に、図２及び図３を参照して、本実施形態におけるパチスロ１について説明する。図２は、パチスロ１の正面図であり、図３はパチスロ１の斜視図である。
【００２９】
パチスロ１は、リール３Ｌ，３Ｃ，３Ｒや回路基板等を収容する筐体となるキャビネット１ａと、キャビネット１ａの前面側（図３におけるＦ側）に対して開閉可能に取り付けられるフロントドア２とを備える。キャビネット１ａの内部には、３つのリール３Ｌ，３Ｃ，３Ｒが横並びに設けられている。各リール３Ｌ，３Ｃ，３Ｒは、円筒状のフレームの周面に、複数の図柄が回転方向に沿って連続的に配置された帯状のシートを貼り付けて構成されている。
【００３０】
フロントドア２は、遊技に関する情報を表示する表示部２１と、表示部２１の下方（図３におけるＢ側）に設けられ遊技者の操作を受け付ける操作部を設ける腰部２２と、腰部２２の下方に設けられ遊技媒体の払い出しを受け付ける受け皿部２３とを備える。
【００３１】
フロントドア２の表示部２１は、図柄表示領域２１Ｌ，２１Ｃ，２１Ｒを含む表示画面５ａを備える液晶表示装置５を備える。液晶表示装置５は、正面から見て３つのリール３Ｌ，３Ｃ，３Ｒに重畳する手前側（図３におけるＦ側）に位置するように設けられている。
【００３２】
また、表示部２１は、液晶表示装置５の周囲に配置され発光するセンター照明ユニット７０及びサイド照明ユニット７５Ｌ，７５Ｒを備える。センター照明ユニット７０は、液晶表示装置５の上側（図２におけるＴ側）に配置されている。サイド照明ユニット７５Ｌは、液晶表示装置５の左側（図２におけるＬ側）に配置されている。サイド照明ユニット７５Ｒは、液晶表示装置５の右側（図２におけるＲ２側）に配置されている。表示部２１の詳細は、後述する。
【００３３】
図柄表示領域２１Ｌ，２１Ｃ，２１Ｒは、３つのリール３Ｌ，３Ｃ，３Ｒのそれぞれに対応して設けられており、その背面側（図３におけるＲ側）に設けられたリール３Ｌ，３Ｃ，３Ｒを透過することが可能な構成を備えている。
【００３４】
つまり、図柄表示領域２１Ｌ，２１Ｃ，２１Ｒは、表示窓としての機能を果たすものであり、その背後に設けられたリール３Ｌ，３Ｃ，３Ｒの回転及びその停止の動作が遊技者側から視認可能となる。パチスロ１では、図柄表示領域２１Ｌ，２１Ｃ，２１Ｒを含めた表示画面５ａの全体を使って、映像の表示が行われ、演出が実行される。
【００３５】
図柄表示領域２１Ｌ，２１Ｃ，２１Ｒは、その背後に設けられたリール３Ｌ，３Ｃ，３Ｒの回転が停止されたとき、リール３Ｌ，３Ｃ，３Ｒの表面に配された複数種類の図柄のうち、その枠内における上段、中段及び下段の各領域にそれぞれ１個の図柄（合計で３個）を表示する。また、各図柄表示領域２１Ｌ，２１Ｃ，２１Ｒが有する上段、中段及び下段からなる３つの領域のうち予め定められた何れかをそれぞれ組合せてなる擬似的なラインを、入賞か否かの判定を行う対象となるライン（入賞判定ライン）として定義する。
【００３６】
フロントドア２の腰部２２は、遊技者による操作の対象となる各種装置（メダル投入口１０、ベットボタン１１、精算ボタン１２、スタートレバー６、ストップボタン７Ｌ，７Ｃ，７Ｒ）が設けられている。
【００３７】
メダル投入口１０は、遊技者によって外部から投下されるメダルを受け入れるために設けられる。メダル投入口１０に受け入れられたメダルは、所定枚数（例えば３枚）を上限として１回の遊技に投入され、所定枚数を超えた分はパチスロ１内部に預けることが可能となる（いわゆるクレジット機能）。
【００３８】
ベットボタン１１は、パチスロ１内部に預けられているメダルから１回の遊技に投入する枚数を決定するために設けられる。精算ボタン１２は、パチスロ１内部に預けられているメダルを外部に引き出すために設けられる。
【００３９】
スタートレバー６は、全てのリール３Ｌ，３Ｃ，３Ｒの回転を開始するために設けられる。ストップボタン７Ｌ，７Ｃ，７Ｒは、３つのリール３Ｌ，３Ｃ，３Ｒのそれぞれに対応づけられ、対応するリール３Ｌ，３Ｃ，３Ｒの回転を停止するために設けられる。
【００４０】
フロントドア２の受け皿部２３は、演出内容に応じた効果音や楽曲等の音を出力するスピーカ９Ｌ，９Ｒと、スピーカ９Ｌ，９Ｒの間に設けられパチスロ１から排出されるメダルを外部に導くメダル払出口１５と、メダル払出口１５から排出されるメダルを受けるメダル受皿１６と、を備える。
【００４１】
［パチスロが備える回路の構成］
次に、図４及び図５を参照して、本実施形態におけるパチスロ１が備える回路の構成について説明する。本実施形態におけるパチスロ１は、主制御回路７１、副制御回路７２及びこれらと電気的に接続する周辺装置（アクチュエータ）を備える。
【００４２】
＜主制御回路＞
図４は、主に本実施形態におけるパチスロ１の主制御回路７１の構成を示す。
【００４３】
（マイクロコンピュータ）
主制御回路７１は、回路基板上に設置されたマイクロコンピュータ３０を主たる構成要素としている。マイクロコンピュータ３０は、ＣＰＵ（以下、メインＣＰＵ）３１、ＲＯＭ（以下、メインＲＯＭ）３２及びＲＡＭ（以下、メインＲＡＭ）３３により構成される。
【００４４】
メインＲＯＭ３２には、メインＣＰＵ３１により実行される制御プログラム、内部当籤役を決定するための内部抽籤テーブル等のデータテーブル、副制御回路７２に対して各種制御指令（コマンド）を送信するためのデータ等が記憶されている。メインＲＡＭ３３には、制御プログラムの実行により決定された内部当籤役等の各種データを格納する格納領域が設けられる。
【００４５】
（乱数発生器等）
メインＣＰＵ３１には、クロックパルス発生回路３４、分周器３５、乱数発生器３６及びサンプリング回路３７が接続されている。クロックパルス発生回路３４及び分周器３５は、クロックパルスを発生する。メインＣＰＵ３１は、発生されたクロックパルスに基づいて、制御プログラムを実行する。乱数発生器３６は、予め定められた範囲の乱数（例えば、０〜６５５３５）を発生する。サンプリング回路３７は、発生された乱数の中から１つの値を抽出する。
【００４６】
（スイッチ等）
マイクロコンピュータ３０の入力ポートには、スイッチ等が接続されている。メインＣＰＵ３１は、スイッチ等の入力を受けて、ステッピングモータ４９Ｌ，４９Ｃ，４９Ｒ等の周辺装置の動作を制御する。ストップスイッチ７Ｓは、３つのストップボタン７Ｌ，７Ｃ，７Ｒのそれぞれが遊技者により押されたこと（停止操作）を検出する。また、スタートスイッチ６Ｓは、スタートレバー６が遊技者により操作されたこと（開始操作）を検出する。
【００４７】
メダルセンサ４２Ｓは、メダル投入口１０に受け入れられたメダルが前述のセレクタ４２内を通過したことを検出する。また、ベットスイッチ１１Ｓは、ベットボタン１１が遊技者により押されたことを検出する。また、精算スイッチ１２Ｓは、精算ボタン１２が遊技者により押されたことを検出する。
【００４８】
（周辺装置及び回路）
マイクロコンピュータ３０により動作が制御される周辺装置としては、ステッピングモータ４９Ｌ，４９Ｃ，４９Ｒ、７セグ表示器１３及びメダル払出装置（以降、ホッパーと称する）４０がある。また、マイクロコンピュータ３０の出力ポートには、各周辺装置の動作を制御するための回路が接続されている。
【００４９】
モータ駆動回路３９は、各リール３Ｌ，３Ｃ，３Ｒに対応して設けられたステッピングモータ４９Ｌ，４９Ｃ，４９Ｒの駆動を制御する。リール位置検出回路５０は、発光部と受光部とを有する光センサにより、リール３Ｌ，３Ｃ，３Ｒが一回転したことを示すリールインデックスを各リール３Ｌ，３Ｃ，３Ｒに応じて検出する。
【００５０】
ステッピングモータ４９Ｌ，４９Ｃ，４９Ｒは、運動量がパルスの出力数に比例し、回転軸を指定された角度で停止させることが可能な構成を備えている。ステッピングモータ４９Ｌ，４９Ｃ，４９Ｒの駆動力は、所定の減速比をもったギアを介してリール３Ｌ，３Ｃ，３Ｒに伝達される。ステッピングモータ４９Ｌ，４９Ｃ，４９Ｒに対して１回のパルスが出力される毎に、リール３Ｌ，３Ｃ，３Ｒは一定の角度で回転する。
【００５１】
メインＣＰＵ３１は、リールインデックスを検出してからステッピングモータ４９Ｌ，４９Ｃ，４９Ｒに対してパルスを出力した回数をカウントすることによって、リール３Ｌ，３Ｃ，３Ｒの回転角度（主に、リール３Ｌ，３Ｃ，３Ｒが図柄何個分だけ回転したか）を管理し、リール３Ｌ，３Ｃ，３Ｒの表面に配された各図柄の位置を管理するようにしている。
【００５２】
表示部駆動回路４８は、７セグ表示器１３の動作を制御する。また、ホッパー駆動回路４１は、ホッパー４０の動作を制御する。また、払出完了信号回路５１は、ホッパー４０に設けられたメダル検出部４０Ｓが行うメダルの検出を管理し、ホッパー４０から外部に排出されたメダルが払出枚数に達したか否かをチェックする。
【００５３】
＜副制御回路＞
図５は、主に本実施形態におけるパチスロ１の副制御回路７２の構成を示す。
【００５４】
副制御回路７２は、主制御回路７１と電気的に接続されており、主制御回路７１から送信されるコマンドに基づいて演出内容の決定や実行等の処理を行う。副制御回路７２には、その動作が制御される周辺装置として、液晶表示装置５、スピーカ９Ｌ，９Ｒ、センター照明ユニット７０及びサイド照明ユニット７５Ｌ，７５Ｒが接続されている。
【００５５】
副制御回路７２は、演出内容により指定されたアニメーションデータに従って映像を作成し、作成した映像を液晶表示装置５により表示する。また、副制御回路７２は、演出内容により指定されたサウンドデータに従ってＢＧＭ等の音をスピーカ９Ｌ，９Ｒにより出力する。また、副制御回路７２は、演出内容により指定された役物演出データに従って、センター照明ユニット７０における駆動左上カバー７６１、駆動左下カバー７６２、駆動センター上カバー７６３、駆動センター下カバー７６４、駆動右上カバー７６５及び駆動右下カバー７６６を駆動する制御を行う。さらに、副制御回路７２は、演出内容により指定された光演出データに従って、センター照明ユニット７０及びサイド照明ユニット７５Ｌ，７５Ｒの点灯又は消灯による発光態様、光度及び発光色を調整する制御を行う。
【００５６】
［表示部２１の構成］
次に、図６を参照して、表示部２１の構成について説明する。図６は、表示部２１の分解図である。
表示部２１は、液晶表示装置５が取付けられる液晶表示装置取付け部５ｂが形成された表示部内枠２１ａと、この表示部内枠２１ａの正面側（図６におけるＦ側）に取付けられる表示部外枠２１ｂとを備える。
【００５７】
表示部内枠２１ａには、液晶表示装置取付け部５ｂの上側（図６におけるＴ側）にセンター照明ユニット７０が取付けられるセンター照明ユニット取付け受け部７０ａが形成され、液晶表示装置取付け部５ｂの左右両側（図６におけるＬ，Ｒ２側）にサイド照明ユニット７５Ｌ，７５Ｒが設けられている。
【００５８】
センター照明ユニット７０については、後述する。
サイド照明ユニット７５Ｌ，７５Ｒは、端部から入射した光を側面から放射しライン状に発光するラインレンズと、このラインレンズの両端近傍に設けられ光を発するＬＥＤを有するＬＥＤ基板とを備える。
【００５９】
表示部外枠２１ｂには、表示部内枠２１ａのセンター照明ユニット取付け受け部７０ａと係合して、センター照明ユニット７０を保持するセンター照明ユニット取付け保持部７０ｂが形成されている。また、表示部外枠２１ｂには、センター照明ユニット取付け保持部７０ｂを覆うセンター照明ユニットカバー７０ｃが取付けられている。
【００６０】
センター照明ユニットカバー７０ｃは、透明部材で形成され、センター照明ユニット７０が視認可能に形成されている。
【００６１】
［センター照明ユニット７０の構成］
図６を参照して、センター照明ユニット７０の構成について説明する。
センター照明ユニット７０は、副制御回路７２に制御される駆動部７００と、駆動部７００を収容する照明ユニット本体としての役物ベース７０１と、駆動部７００により駆動される駆動左上カバー７６１、駆動左下カバー７６２、駆動センター上カバー７６３、駆動センター下カバー７６４、駆動右上カバー７６５及び駆動右下カバー７６６と、役物ベース７０１に収容され駆動センター上カバー７６３及び駆動センター下カバー７６４の背後に設けられたセンター役物レンズユニット７３０と、役物ベース７０１に収容され駆動左上カバー７６１及び駆動左下カバー７６２の背後に設けられたセンターサイドレンズユニット７４０Ｌと、役物ベース７０１に収容され駆動右上カバー７６５及び駆動右下カバー７６６の背後に設けられたセンターサイドレンズユニット７４０Ｒと、を備える。
【００６２】
〈駆動部７００の構成〉
次に、図７から図９を参照して、駆動部７００の構成について説明する。図７は、駆動部７００の分解斜視図である。図８は、駆動部７００と駆動左上カバー７６１、駆動左下カバー７６２、駆動センター上カバー７６３、駆動センター下カバー７６４、駆動右上カバー７６５及び駆動右下カバー７６６との関係を示す説明図である。図９は、駆動部７００のカムの説明図である。
【００６３】
図７に示すように、駆動部７００は、前後方向（図７におけるＦ−Ｒ方向）にスライド可能であり、前後方向と直交する方向に並べて配置された、左スライドプレート７１２、センタースライドプレート左７１３、センタースライドプレート右７１４及び右スライドプレート７１５と、左スライドプレート７１２、センタースライドプレート左７１３、センタースライドプレート右７１４及び右スライドプレート７１５をそれぞれ前側（図７におけるＦ側）に付勢する付勢部材７１６と、回転力を発生するモータ７２０と、モータ７２０により回転され、前後方向と直交する方向に延びる回転軸としての駆動軸７２１と、駆動軸７２１に固定された左カム７２２、センター左カム７２３、センター右カム７２４及び右カム７２５とを備える。駆動部７００は、モータ７２０を除き、合成樹脂により形成されている。
【００６４】
図８を用いて、左スライドプレート７１２、センタースライドプレート左７１３、センタースライドプレート右７１４及び右スライドプレート７１５の構成を説明する。
左スライドプレート７１２は、左スライドプレート本体７１２ａと、左スライドプレート本体７１２ａの前側（図８におけるＦ側）に形成された左駆動上カバーピン係合孔７１２ｂと、左スライドプレート本体７１２ａの前側（図８におけるＦ側）であって、左駆動上カバーピン係合孔７１２ｂの略垂直線上下方に形成された左駆動下カバーピン係合孔７１２ｃと、左スライドプレート本体７１２ａの前側（図８におけるＦ側）であって、左駆動上カバーピン係合孔７１２ｂと左駆動下カバーピン係合孔７１２ｃとの間に形成された左固定軸スライド孔７１２ｄと、左スライドプレート本体７１２ａの後ろ側（図８におけるＲ側）に形成された左カム摺接部７１２ｅと、を備える。
【００６５】
左スライドプレート本体７１２ａは、板状体に形成され、その側縁が役物ベース７０１に摺接するように配置されている。左スライドプレート本体７１２ａには、駆動軸７２１が貫通し左カム７２２が配置される略矩形状の孔が形成されている。
左駆動上カバーピン係合孔７１２ｂは、駆動左上カバー７６１と係合する。
左駆動下カバーピン係合孔７１２ｃは、駆動左下カバー７６２と係合する。
左固定軸スライド孔７１２ｄは、固定軸７０６（図７参照）が貫通し、この固定軸７０６を前後方向（図８におけるＦ−Ｒ方向）スライド移動可能とする楕円型状に形成されている。
左カム摺接部７１２ｅは、左スライドプレート本体７１２ａの孔において垂直方向に形成され側面であり、左カム７２２と摺接する部分である。
【００６６】
センタースライドプレート左７１３は、センター左スライドプレート本体７１３ａと、センター左スライドプレート本体７１３ａの前側（図８におけるＦ側）に形成されたセンター左駆動上カバーピン係合孔７１３ｂと、センター左スライドプレート本体７１３ａの前側（図８におけるＦ側）であって、センター左駆動上カバーピン係合孔７１３ｂの略垂直線上下方に形成されたセンター左駆動下カバーピン係合孔７１３ｃと、センター左スライドプレート本体７１３ａの前側（図８におけるＦ側）であって、センター左駆動上カバーピン係合孔７１３ｂとセンター左駆動下カバーピン係合孔７１３ｃとの間に形成されたセンター左固定軸スライド孔７１３ｄと、センター左スライドプレート本体７１３ａの後ろ側（図８におけるＲ側）に形成されたセンター左カム摺接部７１３ｅと、を備える。
【００６７】
センター左スライドプレート本体７１３ａは、板状体に形成され、その側縁が役物ベース７０１に摺接するように配置されている。センター左スライドプレート本体７１３ａには、駆動軸７２１が貫通しセンター左カム７２３が配置される略矩形状の孔が形成されている。
センター左駆動上カバーピン係合孔７１３ｂは、駆動センター上カバー７６３と係合する。
センター左駆動下カバーピン係合孔７１３ｃは、駆動センター下カバー７６４と係合する。
左固定軸スライド孔７１２ｄは、固定軸７０６が貫通し、この固定軸７０６を前後方向（図８におけるＦ−Ｒ方向）スライド移動可能とする楕円型状に形成されている。
センター左固定軸スライド孔７１３ｄは、センター左スライドプレート本体７１３ａの孔において垂直方向に形成され側面であり、センター左カム７２３と摺接する部分である。
【００６８】
センタースライドプレート右７１４は、センター右スライドプレート本体７１４ａと、センター右スライドプレート本体７１４ａの前側（図８におけるＦ側）に形成されたセンター右駆動上カバーピン係合孔７１４ｂと、センター右スライドプレート本体７１４ａの前側（図８におけるＦ側）であって、センター右駆動上カバーピン係合孔７１４ｂの略垂直線上下方に形成されたセンター右駆動下カバーピン係合孔７１４ｃと、センター右スライドプレート本体７１４ａの前側（図８におけるＦ側）であって、センター右駆動上カバーピン係合孔７１４ｂとセンター右駆動下カバーピン係合孔７１４ｃとの間に形成されたセンター右固定軸スライド孔７１４ｄと、センター右スライドプレート本体７１４ａの後ろ側（図８におけるＲ側）に形成されたセンター右カム摺接部７１４ｅと、を備える。
【００６９】
センター右スライドプレート本体７１４ａは、板状体に形成され、その側縁が役物ベース７０１に摺接するように配置されている。センター右スライドプレート本体７１４ａには、駆動軸７２１が貫通しセンター右カム７２４が配置される略矩形状の孔が形成されている。
センター右駆動上カバーピン係合孔７１４ｂは、駆動センター上カバー７６３と係合する。
センター右駆動下カバーピン係合孔７１４ｃは、駆動センター下カバー７６４と係合する。
センター右固定軸スライド孔７１４ｄは、固定軸７０６が貫通し、この固定軸７０６を前後方向（図８におけるＦ−Ｒ方向）スライド移動可能とする楕円型状に形成されている。
センター右カム摺接部７１４ｅは、センター右スライドプレート本体７１４ａの孔において垂直方向に形成され側面であり、センター右カム７２４と摺接する部分である。
【００７０】
右スライドプレート７１５は、右スライドプレート本体７１５ａと、右スライドプレート本体７１５ａの前側（図８におけるＦ側）に形成された右駆動上カバーピン係合孔７１５ｂと、右スライドプレート本体７１５ａの前側（図８におけるＦ側）であって、右駆動上カバーピン係合孔７１５ｂの略垂直線上下方に形成された右駆動下カバーピン係合孔７１５ｃと、右スライドプレート本体７１５ａの前側（図８におけるＦ側）であって、右駆動上カバーピン係合孔７１５ｂと右駆動下カバーピン係合孔７１５ｃとの間に形成された右固定軸スライド孔７１５ｄと、右スライドプレート本体７１５ａの後ろ側（図８におけるＲ側）に形成された右カム摺接部７１５ｅと、を備える。
【００７１】
右スライドプレート本体７１５ａは、板状体に形成され、その側縁が役物ベース７０１に摺接するように配置されている。右スライドプレート本体７１５ａには、駆動軸７２１が貫通し右カム７２５が配置される略矩形状の孔が形成されている。
右駆動上カバーピン係合孔７１５ｂは、駆動右上カバー７６５と係合する。
右駆動下カバーピン係合孔７１５ｃは、駆動右下カバー７６６と係合する。
右固定軸スライド孔７１５ｄは、固定軸７０６が貫通し、この固定軸７０６を前後方向（図８におけるＦ−Ｒ方向）スライド移動可能とする楕円型状に形成されている。
右カム摺接部７１５ｅは、右スライドプレート本体７１５ａの孔において垂直方向に形成され側面であり、右カム７２５と摺接する部分である。
【００７２】
付勢部材７１６は、左スライドプレート７１２、センタースライドプレート左７１３、センタースライドプレート右７１４及び右スライドプレート７１５の背後にそれぞれ設けられ、左スライドプレート７１２、センタースライドプレート左７１３、センタースライドプレート右７１４及び右スライドプレート７１５を前側（図８におけるＦ側）に付勢する。付勢部材７１６は、バネ部材により構成されている。
【００７３】
モータ７２０は、モータの回転を制御するモータ制御手段としての副制御回路７２の制御により、駆動軸７２１を回転させる。モータ７２０は、副制御回路７２の制御により複数種類のパルス数の中から所定のパルス数が選択されることで、駆動軸７２１を所定の角度だけ回動することができる。具体的には、モータ７２０は、２４０パルスで駆動軸７２１を３６０度回転させる。すなわち、モータ７２０は、８０パルスで駆動軸７２１を１２０度回転させる。
駆動軸７２１は、棒状体であり、この棒状体がモータ７２０にギヤを介して連結されている。
【００７４】
図９を用いて、左カム７２２、センター左カム７２３、センター右カム７２４及び右カム７２５の構成を説明する。
左カム７２２は、左スライドプレート７１２の左スライドプレート本体７１２ａ（図８参照）の孔の中に配置される。左カム７２２は、左スライドプレート７１２の左カム摺接部７１２ｅに当接する左当接面７２２Ａを有する。左カム７２２には、左平坦部７２２ａと、左平坦部７２２ａより駆動軸７２１の軸心から左当接面７２２Ａまでの距離が大きい左突起部７２２ｂとが形成されている。また、左カム７２２には、左平坦部７２２ａから左突起部７２２ｂに移行する部分である左移行部７２２ｃが形成されている。
【００７５】
すなわち、第１カムとしての左カム７２２は、第１当接面としての左当接面７２２Ａを回転軸としての駆動軸７２１の回転にともない第１スライド部材としての左スライドプレート７１２に摺接させて、左スライドプレート７１２をスライドさせる。そして、左スライドプレート７１２は、第１カム平坦部としての左平坦部７２２ａと当接しているときに第１カバーとしての駆動左上カバー７６１及び駆動左下カバー７６２を閉状態とし、第１カム突起部としての左突起部７２２ｂと当接しているときに駆動左上カバー７６１及び駆動左下カバー７６２を開状態とする。
【００７６】
左突起部７２２ｂは、駆動軸７２１の回転方向において、左カム摺接部７１２ｅが配置された位置（図９におけるＲ側）を基準とすれば、左カム摺接部７１２ｅが配置された位置を除く略全ての範囲に形成されている。すなわち、左平坦部７２２ａは、左カム摺接部７１２ｅが配置された位置にのみ形成されている。
【００７７】
センター左カム７２３は、センタースライドプレート左７１３のセンター左スライドプレート本体７１３ａ（図８参照）の孔の中に配置される。センター左カム７２３は、センタースライドプレート左７１３のセンター左カム摺接部７１３ｅに当接するセンター左当接面７２３Ａを有する。センター左カム７２３には、センター左平坦部７２３ａと、センター左平坦部７２３ａより駆動軸７２１の軸心からセンター左当接面７２３Ａまでの距離が大きいセンター左突起部７２３ｂとが形成されている。
【００７８】
すなわち、第２カムとしてのセンター左カム７２３は、第２当接面としてのセンター左当接面７２３Ａを回転軸としての駆動軸７２１の回転にともない第２スライド部材としてのセンタースライドプレート左７１３に摺接させて、センタースライドプレート左７１３をスライドさせる。そして、センタースライドプレート左７１３は、第２カム平坦部としてのセンター左平坦部７２３ａと当接しているときに第２カバーとしての駆動センター上カバー７６３及び駆動センター下カバー７６４を閉状態とし、第２カム突起部としてのセンター左突起部７２３ｂと当接しているときに駆動センター上カバー７６３及び駆動センター下カバー７６４を開状態とする。
【００７９】
センター左カム７２３が静止している状態におけるセンター左突起部７２３ｂについて説明する。以下の説明では、センター左カム摺接部７１３ｅが配置された位置（図９におけるＲ側）を基準（０度）として、駆動軸７２１の順回転方向に沿って順に説明する。
センター左突起部７２３ｂは、センター左カム摺接部７１３ｅが配置された位置（図９におけるＲ側）（０度）から順回転方向において略２４０度までの範囲に形成されている。
【００８０】
より詳細には、センター左突起部７２３ｂは、センター左カム摺接部７１３ｅが配置された位置を基準点とすれば、順回転方向０度から略１２０度の間において、駆動軸７２１の軸心からセンター左当接面７２３Ａまでの距離が、左突起部７２２ｂにおける駆動軸７２１の軸心から左当接面７２２Ａまでの距離と略同一に形成されている。すなわち、センター左突起部７２３ｂは、順回転方向０度から略１２０度の間において、駆動軸７２１の軸心からセンター左当接面７２３Ａまでの距離が最大になるように形成されている。
そして、センター左突起部７２３ｂにおけるセンター左当接面７２３Ａは、上記基準点から順回転方向略１２０度から略２４０度近傍までの間において、センター左平坦部７２３ａに向けてなだらかに傾斜する。
また、センター左平坦部７２３ａは、センター左カム７２３が静止している状態で視れば、上記基準点から順回転方向に略２４０度から略３６０度の間に形成されている。
【００８１】
右カム７２５は、右スライドプレート７１５の右スライドプレート本体７１５ａ（図８参照）の孔の中に配置される。右カム７２５は、右スライドプレート７１５の右カム摺接部７１５ｅに当接する右当接面７２５Ａを有する。
右カム７２５は、左カム７２２と、左右を逆転させた略同一形状で形成されている。
右カム７２５には、右平坦部７２５ａと、右平坦部７２５ａより駆動軸７２１の軸心から右当接面７２５Ａまでの距離が大きい右突起部７２５ｂとが形成されている。また、右カム７２５には、右平坦部７２５ａから右突起部７２５ｂに移行する部分である右移行部７２５ｃが形成されている。
【００８２】
すなわち、第１カムとしての右カム７２５は、第１当接面としての右当接面７２５Ａを回転軸としての駆動軸７２１の回転にともない第１スライド部材としての右スライドプレート７１５摺接させて、右スライドプレート７１５をスライドさせる。そして、右スライドプレート７１５は、第１カム平坦部としての右平坦部７２５ａと当接しているときに第１カバーとしての駆動右上カバー７６５及び駆動右下カバー７６６を閉状態とし、第１カム突起部としての右突起部７２５ｂと当接しているときに駆動右上カバー７６５及び駆動右下カバー７６６を開状態とする。
【００８３】
右突起部７２５ｂは、駆動軸７２１の回転方向において、右カム摺接部７１５ｅが配置された位置（図９におけるＲ側）を基準とすれば、右カム摺接部７１５ｅが配置された位置（図９におけるＲ側）を除く略全ての範囲に形成されている。
【００８４】
センター右カム７２４は、センタースライドプレート右７１４のセンター右スライドプレート本体７１４ａ（図８参照）の孔の中に配置される。センター右カム７２４は、センタースライドプレート右７１４のセンター右カム摺接部７１４ｅに当接するセンター右当接面７２４Ａを有する。
センター右カム７２４は、センター左カム７２３と、左右を逆転させた略同一形状で形成されている。センター右カム７２４には、センター右平坦部７２４ａと、センター右平坦部７２４ａより駆動軸７２１の軸心からセンター右当接面７２４Ａまでの距離が大きいセンター右突起部７２４ｂとが形成されている。
【００８５】
すなわち、第２カムとしてのセンター右カム７２４は、第２当接面としてのセンター右当接面７２４Ａを回転軸としての駆動軸７２１の回転にともない第２スライド部材としてのセンタースライドプレート右７１４に摺接させて、センタースライドプレート右７１４をスライドさせる。そして、センタースライドプレート右７１４は、第２カム平坦部としてのセンター右平坦部７２４ａと当接しているときに第２カバーとしての駆動センター上カバー７６３及び駆動センター下カバー７６４を閉状態とし、第２カム突起部としてのセンター右突起部７２４ｂと当接しているときに駆動センター上カバー７６３及び駆動センター下カバー７６４を開状態とする。
【００８６】
センター右カム７２４が静止している状態におけるセンター右突起部７２４ｂについて説明する。以下の説明では、センター右カム摺接部７１４ｅが配置された位置（図９におけるＲ側）を基準（０度）として、駆動軸７２１の順回転方向に沿って順に説明する。
センター右突起部７２４ｂは、センター右カム摺接部７１４ｅが配置された位置（図９におけるＲ側）（０度）から順回転方向において略２４０度までの範囲に形成されている。
【００８７】
より詳細には、センター右突起部７２４ｂは、センター右カム摺接部７１４ｅが配置された位置を基準点とすれば、順回転方向０度（基準点）から略１２０度の間において、駆動軸７２１の軸心からセンター右当接面７２４Ａまでの距離が、右突起部７２５ｂにおける駆動軸７２１の軸心から右当接面７２５Ａまでの距離と略同一に形成されている。すなわち、センター右突起部７２４ｂは、順回転方向０度から略１２０度の間において、駆動軸７２１の軸心からセンター右当接面７２４Ａまでの距離が最大になるように形成されている。
そして、センター右突起部７２４ｂにおけるセンター右当接面７２４Ａは、上記基準点から順回転方向略１２０度から略２４０度近傍までの間において、センター右平坦部７２４ａに向けてなだらかに傾斜する。
また、センター右平坦部７２４ａは、センター右カム７２４が静止している状態で視れば、上記基準点から順回転方向に略２４０度から略３６０度の間に形成されている。
【００８８】
よって、駆動軸７２１の回転方向における、左カム７２２の左突起部７２２ｂ及び右カム７２５の右突起部７２５ｂが形成された範囲とセンター左カム７２３のセンター左突起部７２３ｂ及びセンター右カム７２４のセンター右突起部７２４ｂが形成された範囲とは互いに異なる。より詳細には、左カム７２２及び右カム７２５には、駆動軸７２１の回転方向における、左突起部７２２ｂ及び右突起部７２５ｂが形成された範囲が、センター左カム７２３のセンター左突起部７２３ｂ及びセンター右カム７２４のセンター右突起部７２４ｂが形成された範囲より広く形成されている。
【００８９】
また、左カム７２２及び右カム７２５には、センター左カム７２３のセンター左平坦部７２３ａ及びセンター右カム７２４のセンター右平坦部７２４ａが形成された範囲内（センター左カム摺接部７１３ｅ及びセンター右カム摺接部７１４ｅが配置された位置を基準として、順回転方向に略２４０度から略３６０度の間）に左移行部７２２ｃ及び右移行部７２５ｃが形成されている。
【００９０】
したがって、このような左カム７２２及び右カム７２５と、センター左カム７２３及びセンター右カム７２４とが配置された駆動軸７２１をモータ７２０により回転したときにおける、駆動左上カバー７６１及び駆動左下カバー７６２並びに駆動右上カバー７６５及び駆動右下カバー７６６と、駆動センター上カバー７６３及び駆動センター下カバー７６４と、の状態は以下のとおりとなる。
【００９１】
まず、駆動軸７２１を順回転方向に回転させた場合について説明する。
駆動軸７２１が回転する前は、駆動左上カバー７６１及び駆動左下カバー７６２並びに駆動右上カバー７６５及び駆動右下カバー７６６と、駆動センター上カバー７６３及び駆動センター下カバー７６４と、はいずれも閉状態となっている。
【００９２】
この状態で、モータ７２０に８０パルス入力することで、駆動軸７２１が１２０度回転する。すると、駆動左上カバー７６１及び駆動左下カバー７６２並びに駆動右上カバー７６５及び駆動右下カバー７６６は、回転開始時に開状態に移行する。一方、駆動センター上カバー７６３及び駆動センター下カバー７６４は、閉状態を維持する。
【００９３】
さらにモータ７２０に８０パルス入力することで、駆動軸７２１がさらに１２０度回転する。すると、駆動左上カバー７６１及び駆動左下カバー７６２並びに駆動右上カバー７６５及び駆動右下カバー７６６は、開状態を維持する。一方、駆動センター上カバー７６３及び駆動センター下カバー７６４は、閉状態から開状態へ移行する。
【００９４】
さらにまた、モータ７２０に８０パルス入力することで、駆動軸７２１がさらに１２０度回転する。すると、駆動左上カバー７６１及び駆動左下カバー７６２並びに駆動右上カバー７６５及び駆動右下カバー７６６は、開状態から閉状態へ移行する。また、駆動センター上カバー７６３及び駆動センター下カバー７６４も開状態から閉状態へ移行する。
【００９５】
次に、駆動軸７２１を逆回転方向に回転させた場合について説明する。
駆動軸７２１が回転する前は、駆動左上カバー７６１及び駆動左下カバー７６２並びに駆動右上カバー７６５及び駆動右下カバー７６６と、駆動センター上カバー７６３及び駆動センター下カバー７６４と、はいずれも閉状態となっている。
【００９６】
この状態で、モータ７２０に８０パルス入力することで、駆動軸７２１が１２０度回転する。すると、駆動左上カバー７６１及び駆動左下カバー７６２並びに駆動右上カバー７６５及び駆動右下カバー７６６は、回転開始時に開状態に移行する。また、駆動センター上カバー７６３及び駆動センター下カバー７６４も、回転開始時に開状態に移行する。
【００９７】
さらにモータ７２０に８０パルス入力することで、駆動軸７２１がさらに１２０度回転する。すると、駆動左上カバー７６１及び駆動左下カバー７６２並びに駆動右上カバー７６５及び駆動右下カバー７６６は、開状態を維持する。一方、駆動センター上カバー７６３及び駆動センター下カバー７６４は、開状態から閉状態へ移行する。
【００９８】
さらにまた、モータ７２０に８０パルス入力することで、駆動軸７２１がさらに１２０度回転する。すると、駆動左上カバー７６１及び駆動左下カバー７６２並びに駆動右上カバー７６５及び駆動右下カバー７６６は、開状態から閉状態へ移行する。一方、駆動センター上カバー７６３及び駆動センター下カバー７６４は、閉状態を維持する。
【００９９】
次に、図７を用いて、役物ベース７０１の構成を説明する。
役物ベース７０１は、正面側（図７におけるＦ側）が開放された箱状体である。役物ベース７０１の開放された正面側には、図８に示す、駆動左上カバー７６１、駆動左下カバー７６２、駆動センター上カバー７６３、駆動センター下カバー７６４、駆動右上カバー７６５及び駆動右下カバー７６６が配置される。また、役物ベース７０１は、駆動部７００等の各部品を差し込んで位置決め可能な下収納ケース７０１ａと、下収納ケース７０１ａと係合することで下収納ケース７０１ａに差し込まれた駆動部７００等の各部品を狭持して保持可能な上収納ケース７０１ｂ（図６参照）とを備える。役物ベース７０１は、合成樹脂により形成されている。
【０１００】
役物ベース７０１は、左スライドプレート７１２を前後方向（図８におけるＦ−Ｒ方向）にスライド可能に保持する左スライドプレート支持部７０２と、センタースライドプレート左７１３を前後方向にスライド可能に保持するセンタースライドプレート左支持部７０３と、センタースライドプレート右７１４を前後方向にスライド可能に保持するセンタースライドプレート右支持部７０４と、右スライドプレート７１５を前後方向にスライド可能に保持する右スライドプレート支持部７０５とを備える。
【０１０１】
また、役物ベース７０１は、左スライドプレート７１２の左固定軸スライド孔７１２ｄ、センタースライドプレート左７１３のセンター左固定軸スライド孔７１３ｄ、センタースライドプレート右７１４のセンター右固定軸スライド孔７１４ｄ及び右スライドプレート７１５の右固定軸スライド孔７１５ｄを挿通する直線的に延びる棒状に形成された固定軸７０６を備える。
【０１０２】
次に、図８を用いて、駆動左上カバー７６１、駆動左下カバー７６２、駆動センター上カバー７６３、駆動センター下カバー７６４、駆動右上カバー７６５及び駆動右下カバー７６６の構成を説明する。
【０１０３】
駆動左上カバー７６１は、役物ベース７０１の開放された正面側（図８におけるＦ側）に配置される左上カバー本体７６１ａと、左上カバー本体７６１ａの基端（図８におけるＲ側）に形成された左上固定軸挿通孔７６１ｂと、左上固定軸挿通孔７６１ｂの近傍に形成された左上駆動カバーピン７６１ｃと、を備える。
【０１０４】
左上カバー本体７６１ａは、役物ベース７０１の開放された正面側に形成された曲面を有する板状の遮蔽部と、この遮蔽部の両端に形成され基端側に向かってその幅が狭くなる扇形の側面と、を備える。
左上固定軸挿通孔７６１ｂは、左上カバー本体７６１ａの側面の基端に形成され、役物ベース７０１の固定軸７０６が遊貫する状態で挿通される。
左上駆動カバーピン７６１ｃは、右側（図８におけるＲ２側）の左上固定軸挿通孔７６１ｂの上方であって、僅かに先端側（図８におけるＦ側）に寄った位置に形成され、左スライドプレート７１２の左駆動上カバーピン係合孔７１２ｂに遊貫する状態で挿通される。
【０１０５】
駆動左下カバー７６２は、役物ベース７０１の開放された正面側（図８におけるＦ側）に配置される左下カバー本体７６２ａと、左下カバー本体７６２ａの基端（図８におけるＲ側）に形成された左下固定軸挿通孔７６２ｂと、左下固定軸挿通孔７６２ｂの近傍に形成された左下駆動カバーピン７６２ｃと、を備える。
【０１０６】
左下カバー本体７６２ａは、役物ベース７０１の開放された正面側に形成された曲面を有する板状の遮蔽部と、この遮蔽部の両端に形成され基端側に向かってその幅が狭くなる扇形の側面と、を備える。
左下固定軸挿通孔７６２ｂは、左下カバー本体７６２ａの側面の基端に形成され、役物ベース７０１の固定軸７０６が遊貫する状態で挿通される。
左下駆動カバーピン７６２ｃは、右側（図８におけるＲ２側）の左下固定軸挿通孔７６２ｂの下方であって、僅かに先端側（図８におけるＦ側）に寄った位置に形成され、左スライドプレート７１２の左駆動下カバーピン係合孔７１２ｃに遊貫する状態で挿通される。
【０１０７】
駆動センター上カバー７６３は、役物ベース７０１の開放された正面側（図８におけるＦ側）に配置されるセンター上カバー本体７６３ａと、センター上カバー本体７６３ａの基端（図８におけるＲ側）に形成されたセンター上固定軸挿通孔７６３ｂと、センター上固定軸挿通孔７６３ｂの近傍に形成されたセンター上駆動カバーピン７６３ｃと、を備える。
【０１０８】
センター上カバー本体７６３ａは、役物ベース７０１の開放された正面側に形成された曲面を有する板状の遮蔽部と、この遮蔽部の両端に形成され基端側に向かってその幅が狭くなる扇形の側面と、を備える。
センター上固定軸挿通孔７６３ｂは、センター上カバー本体７６３ａの側面の基端に形成され、役物ベース７０１の固定軸７０６が遊貫する状態で挿通される。
センター上駆動カバーピン７６３ｃは、センター上固定軸挿通孔７６３ｂの上方であって、僅かに先端側（図８におけるＦ側）に寄った位置に形成され、センタースライドプレート左７１３のセンター左駆動上カバーピン係合孔７１３ｂ及びセンタースライドプレート右７１４のセンター右駆動上カバーピン係合孔７１４ｂに遊貫する状態で挿通される。
【０１０９】
駆動センター下カバー７６４は、役物ベース７０１の開放された正面側（図８におけるＦ側）に配置されるセンター下カバー本体７６４ａと、センター下カバー本体７６４ａの基端（図８におけるＲ側）に形成されたセンター下固定軸挿通孔７６４ｂと、センター下固定軸挿通孔７６４ｂの近傍に形成されたセンター下駆動カバーピン７６４ｃと、を備える。
【０１１０】
センター下カバー本体７６４ａは、役物ベース７０１の開放された正面側に形成された曲面を有する板状の遮蔽部と、この遮蔽部の両端に形成され基端側に向かってその幅が狭くなる扇形の側面と、を備える。
センター下固定軸挿通孔７６４ｂは、センター下カバー本体７６４ａの側面の基端に形成され、役物ベース７０１の固定軸７０６が遊貫する状態で挿通される。
センター下駆動カバーピン７６４ｃは、センター下固定軸挿通孔７６４ｂの下方であって、僅かに先端側（図８におけるＦ側）に寄った位置に形成され、センタースライドプレート左７１３のセンター左駆動下カバーピン係合孔７１３ｃ及びセンタースライドプレート右７１４のセンター右駆動下カバーピン係合孔７１４ｃに遊貫する状態で挿通される。
【０１１１】
駆動右上カバー７６５は、役物ベース７０１の開放された正面側（図８におけるＦ側）に配置される右上カバー本体７６５ａと、右上カバー本体７６５ａの基端（図８におけるＲ側）に形成された右上固定軸挿通孔７６５ｂと、右上固定軸挿通孔７６５ｂの近傍に形成された右上駆動カバーピン７６５ｃと、を備える。
【０１１２】
右上カバー本体７６５ａは、役物ベース７０１の開放された正面側に形成された曲面を有する板状の遮蔽部と、この遮蔽部の両端に形成され基端側に向かってその幅が狭くなる扇形の側面と、を備える。
右上固定軸挿通孔７６５ｂは、右上カバー本体７６５ａの側面の基端に形成され、役物ベース７０１の固定軸７０６が遊貫する状態で挿通される。
右上駆動カバーピン７６５ｃは、左側（図８におけるＬ側）の右上固定軸挿通孔７６５ｂの上方であって、僅かに先端側（図８におけるＦ側）に寄った位置に形成され、右スライドプレート７１５の右駆動上カバーピン係合孔７１５ｂに遊貫する状態で挿通される。
【０１１３】
駆動右下カバー７６６は、役物ベース７０１の開放された正面側（図８におけるＦ側）に配置される右下カバー本体７６６ａと、右下カバー本体７６６ａの基端（図８におけるＲ側）に形成された右下固定軸挿通孔７６６ｂと、右下固定軸挿通孔７６６ｂの近傍に形成された右下駆動カバーピン７６６ｃと、を備える。
【０１１４】
右下カバー本体７６６ａは、役物ベース７０１の開放された正面側に形成された曲面を有する板状の遮蔽部と、この遮蔽部の両端に形成され基端側に向かってその幅が狭くなる扇形の側面と、を備える。
右下固定軸挿通孔７６６ｂは、右下カバー本体７６６ａの側面の基端に形成され、役物ベース７０１の固定軸７０６が遊貫する状態で挿通される。
右下駆動カバーピン７６６ｃは、左側（図８におけるＬ側）の右下固定軸挿通孔７６６ｂの下方であって、僅かに先端側（図８におけるＦ側）に寄った位置に形成され、右スライドプレート７１５の右駆動下カバーピン係合孔７１５ｃに遊貫する状態で挿通される。
【０１１５】
駆動左上カバー７６１、駆動左下カバー７６２、駆動センター上カバー７６３、駆動センター下カバー７６４、駆動右上カバー７６５及び駆動右下カバー７６６は、ＡＢＳ樹脂及びポリカーボネート樹脂で一体形成されている。
【０１１６】
次に、駆動左上カバー７６１、駆動左下カバー７６２、駆動センター上カバー７６３、駆動センター下カバー７６４、駆動右上カバー７６５及び駆動右下カバー７６６と、
センターサイドレンズユニット７４０Ｌ、センター役物レンズユニット７３０及びセンターサイドレンズユニット７４０Ｒとの関係について説明する。
【０１１７】
第１カバーとしての駆動左上カバー７６１及び駆動左下カバー７６２は、第１発光部としてのセンターサイドレンズユニット７４０Ｌの前面に設けられている。
駆動左上カバー７６１及び駆動左下カバー７６２は、連動して互いに近接する方向に回動することで、センターサイドレンズユニット７４０Ｌを遮蔽する。また、駆動左上カバー７６１及び駆動左下カバー７６２は、連動して互いに離間する方向に回動することで、センターサイドレンズユニット７４０Ｌを視認可能とする。
すなわち、駆動左上カバー７６１及び駆動左下カバー７６２は、センターサイドレンズユニット７４０Ｌを遮蔽する閉状態及びセンターサイドレンズユニット７４０Ｌが視認可能となる開状態の双方向に移行可能に構成されている。
また、センターサイドレンズユニット７４０Ｌは、駆動左上カバー７６１及び駆動左下カバー７６２の回動軸となる固定軸７０６の近傍に設けられている。
【０１１８】
第２カバーとしての駆動センター上カバー７６３及び駆動センター下カバー７６４は、第２発光部としてのセンター役物レンズユニット７３０の前面に設けられている。
駆動センター上カバー７６３及び駆動センター下カバー７６４は、連動して互いに近接する方向に回動することで、センター役物レンズユニット７３０を遮蔽する。また、駆動センター上カバー７６３及び駆動センター下カバー７６４は、連動して互いに離間する方向に回動することで、センター役物レンズユニット７３０を視認可能とする。
すなわち、駆動センター上カバー７６３及び駆動センター下カバー７６４は、センター役物レンズユニット７３０を遮蔽する閉状態及びセンター役物レンズユニット７３０が視認可能となる開状態の双方向に移行可能に構成されている。
また、センター役物レンズユニット７３０は、駆動センター上カバー７６３及び駆動センター下カバー７６４の回動軸となる固定軸７０６の近傍に設けられている。
【０１１９】
駆動右上カバー７６５及び駆動右下カバー７６６は、センターサイドレンズユニット７４０Ｒの前面に設けられている。
第１カバーとしての駆動右上カバー７６５及び駆動右下カバー７６６は、連動して互いに近接する方向に回動することで、第１発光部としてのセンターサイドレンズユニット７４０Ｒを遮蔽する。また、駆動右上カバー７６５及び駆動右下カバー７６６は、連動して互いに離間する方向に回動することで、センターサイドレンズユニット７４０Ｒを視認可能とする。
すなわち、駆動右上カバー７６５及び駆動右下カバー７６６は、センターサイドレンズユニット７４０Ｒを遮蔽する閉状態及びセンターサイドレンズユニット７４０Ｒが視認可能となる開状態の双方向に移行可能に構成されている。
また、センターサイドレンズユニット７４０Ｒは、駆動右上カバー７６５及び駆動右下カバー７６６の回動軸となる固定軸７０６の近傍に設けられている。
【０１２０】
次に、図１０を参照して、センター照明ユニット７０のセンター役物レンズユニット７３０、センターサイドレンズユニット７４０Ｌ及びセンターサイドレンズユニット７４０Ｒの構成について説明する。図１０は、センター役物レンズユニット７３０、センターサイドレンズユニット７４０Ｌ及びセンターサイドレンズユニット７４０Ｒの正面図である。
【０１２１】
センター役物レンズユニット７３０の構成について説明する。
センター役物レンズユニット７３０は、その略中心に配置されたセンター役物メインレンズ７３１と、センター役物メインレンズ７３１の周囲に配置されたセンター役物サブレンズ７３２と、センター役物メインレンズ７３１の背後に配置されたメインレンズＬＥＤ基板７３６と、センター役物サブレンズ７３２の背後に配置されたサブレンズＬＥＤ基板７３７と、を備える。
また、センター役物レンズユニット７３０は、役物ベース７０１の下収納ケース７０１ａに嵌め込まれて係合され、ビス一本のみで固定される。
【０１２２】
センター役物メインレンズ７３１は、略円形状のレンズであり、背面から入射された光を正面に放射する。
センター役物サブレンズ７３２は、センター役物メインレンズ７３１の外形に沿うように形成された複数の板状体を重ねて形成されている。この板状体は、背後の側縁から入射された光を正面の側縁から放射する。
【０１２３】
メインレンズＬＥＤ基板７３６は、センター役物メインレンズ７３１の背面近傍に配置され、センター役物メインレンズ７３１の背面に向けて光りを照射するＬＥＤを備える。
サブレンズＬＥＤ基板７３７は、センター役物サブレンズ７３２を形成する複数の板状体の背後の側縁近傍に配置され、これら複数の板状体の背後の側縁に向けて光りを照射するＬＥＤを備える。
【０１２４】
〈センターサイドレンズユニット７４０Ｌ及びセンターサイドレンズユニット７４０Ｒの構成〉
センターサイドレンズユニット７４０Ｌ及びセンターサイドレンズユニット７４０Ｒの構成について説明する。センターサイドレンズユニット７４０Ｌとセンターサイドレンズユニット７４０Ｒとは、センター役物レンズユニット７３０を挟んで、左右対称に配置されている。
【０１２５】
（センターサイドレンズユニット７４０Ｌの構成）
まず、センターサイドレンズユニット７４０Ｌの構成について説明する。
センターサイドレンズユニット７４０Ｌは、その略中央水平方向（図７におけるＬ−Ｒ２方向）に延びるライン状導光板としてのセンターラインレンズ７４１Ｌと、センターラインレンズ７４１Ｌに沿って延びる透明レンズ７４２Ｌと、透明レンズ７４２Ｌに沿って延びるメッキ部７４３Ｌと、メッキ部７４３Ｌに沿って延びるサイドパネルとしての透明赤色レンズ７４４Ｌと、センターラインレンズ７４１Ｌの両端部に配置された固定部材としてのラインレンズカバー７４５Ｌと、センターラインレンズ７４１Ｌの左端部（図７におけるＬ側）近傍に配置された第１発光装置としての左センターライン左ＬＥＤ基板７４６Ｌと、センターラインレンズ７４１Ｌの右端部（図７におけるＲ２側）近傍に配置された第２発光装置としての左センターライン右ＬＥＤ基板７４７Ｌと、透明レンズ７４２Ｌ及び透明赤色レンズ７４４Ｌの背後に配置された左サイドレンズＬＥＤ基板７４８Ｌと、を備える。
また、センターサイドレンズユニット７４０Ｌは、役物ベース７０１の下収納ケース７０１ａに嵌め込まれて係合され、ビス一本のみで固定される。
【０１２６】
センターラインレンズ７４１Ｌは、棒状体であり、端部から入射した光を側面から放射しライン状に発光する。センターラインレンズ７４１Ｌは、透明アクリルスティックで形成され、背面側が白色塗装され、両端部から入射された光を背面側に照射しないように構成されている。
【０１２７】
透明レンズ７４２Ｌは、センターラインレンズ７４１Ｌの側面に沿うように形成されている。透明レンズ７４２Ｌは、透明の塩化ビニル樹脂で形成され、背後の側縁から入射された光を正面の側縁から放射する。透明レンズ７４２Ｌは、センターラインレンズ７４１Ｌと離間して配置されている。
【０１２８】
メッキ部７４３Ｌは、センターラインレンズ７４１Ｌ及び透明レンズ７４２Ｌと透明赤色レンズ７４４Ｌとの間に配置され、一方の光が他方へ入射し両者の光が混同するのを防止するように構成されている。すなわち、透明赤色レンズ７４４Ｌは、メッキ部７４３Ｌにより、センターラインレンズ７４１Ｌ及び透明レンズ７４２Ｌと離間して配置されている。
【０１２９】
透明赤色レンズ７４４Ｌは、透明レンズ７４２Ｌ及びメッキ部７４３Ｌの側面に沿うように形成されている。透明赤色レンズ７４４Ｌは、透明赤色の塩化ビニル樹脂で形成され、背後の側縁から入射された光を正面の側縁から放射する。透明赤色レンズ７４４Ｌは、センターラインレンズ７４１Ｌと離間して配置されている。
【０１３０】
ラインレンズカバー７４５Ｌは、センターラインレンズ７４１Ｌの両端部を狭持して役物ベース７０１に保持する。
【０１３１】
左センターライン左ＬＥＤ基板７４６Ｌは、センターラインレンズ７４１Ｌの左端部に向けて光りを照射するフルカラーＬＥＤを備える。
左センターライン右ＬＥＤ基板７４７Ｌは、センターラインレンズ７４１Ｌの右端部に向けて光りを照射するフルカラーＬＥＤを備える。
左サイドレンズＬＥＤ基板７４８Ｌは、透明レンズ７４２Ｌ及び透明赤色レンズ７４４Ｌの背後の側縁に向けて光りを照射するフルカラーＬＥＤを備える。
【０１３２】
（センターサイドレンズユニット７４０Ｒの構成）
次に、センターサイドレンズユニット７４０Ｒの構成について説明する。
センターサイドレンズユニット７４０Ｒは、その略中央水平方向に延びるライン状導光板としてのセンターラインレンズ７４１Ｒと、センターラインレンズ７４１Ｒに沿って延びる透明レンズ７４２Ｒと、透明レンズ７４２Ｒに沿って延びるメッキ部７４３Ｒと、メッキ部７４３Ｒに沿って延びるサイドパネルとしての透明赤色レンズ７４４Ｒと、センターラインレンズ７４１Ｒの両端部に配置された固定部材としてのラインレンズカバー７４５Ｒと、センターラインレンズ７４１Ｒの左端部（図７におけるＬ側）近傍に配置された第１発光装置としての右センターライン左ＬＥＤ基板７４６Ｒと、センターラインレンズ７４１Ｒの右端部（図７におけるＲ２側）近傍に配置された第２発光装置としての右センターライン右ＬＥＤ基板７４７Ｒと、透明レンズ７４２Ｒ及び透明赤色レンズ７４４Ｒの背後に配置された右サイドレンズＬＥＤ基板７４８Ｒとを備える。
また、センターサイドレンズユニット７４０Ｒは、役物ベース７０１の下収納ケース７０１ａに嵌め込まれて係合され、ビス一本のみで固定される。
【０１３３】
センターラインレンズ７４１Ｒは、棒状体であり、端部から入射した光を側面から放射しライン状に発光する。センターラインレンズ７４１Ｒは、透明アクリルスティックで形成され、背面側が白色塗装され、両端部から入射された光を背面側に照射しないように構成されている。
【０１３４】
透明レンズ７４２Ｒは、センターラインレンズ７４１Ｒの側面に沿うように形成されている。透明レンズ７４２Ｒは、透明の塩化ビニル樹脂で形成され、背後の側縁から入射された光を正面の側縁から放射する。透明レンズ７４２Ｒは、センターラインレンズ７４１Ｒと離間して配置されている。
【０１３５】
メッキ部７４３Ｒは、センターラインレンズ７４１Ｒ及び透明レンズ７４２Ｒと透明赤色レンズ７４４Ｒとの間に配置され、一方の光が他方へ入射し両者の光が混同するのを防止するように構成されている。すなわち、透明赤色レンズ７４４Ｒは、メッキ部７４３Ｒにより、センターラインレンズ７４１Ｒ及び透明レンズ７４２Ｒと離間して配置されている。
【０１３６】
透明赤色レンズ７４４Ｒは、透明レンズ７４２Ｒ及びメッキ部７４３Ｒの側面に沿うように形成されている。透明赤色レンズ７４４Ｒは、透明赤色の塩化ビニル樹脂で形成され、背後の側縁から入射された光を正面の側縁から放射する。透明赤色レンズ７４４Ｒは、センターラインレンズ７４１Ｒと離間して配置されている。
【０１３７】
ラインレンズカバー７４５Ｒは、センターラインレンズ７４１Ｒの両端部を狭持して役物ベース７０１に保持する。
【０１３８】
右センターライン左ＬＥＤ基板７４６Ｒは、センターラインレンズ７４１Ｒの左端部に向けて光りを照射するフルカラーＬＥＤを備える。
右センターライン右ＬＥＤ基板７４７Ｒは、センターラインレンズ７４１Ｒの右端部に向けて光りを照射するフルカラーＬＥＤを備える。
右サイドレンズＬＥＤ基板７４８Ｒは、透明レンズ７４２Ｒ及び透明赤色レンズ７４４Ｒの背後の側縁に向けて光りを照射するフルカラーＬＥＤを備える。
【０１３９】
［センター照明ユニット７０の動作］
図１１を参照して、センター照明ユニット７０の動作について説明する。
図１１は、センター照明ユニット７０の動作の説明図である。
図１１では、センター照明ユニット７０の動作の一例として、センターサイドレンズユニット７４０Ｌを遮蔽する閉状態にある駆動左上カバー７６１及び駆動左下カバー７６２が、連動して互いに離間する方向に回動することで、センターサイドレンズユニット７４０Ｌを視認可能とする開状態に移行する動作を示している。
図１１（ａ）は、センターサイドレンズユニット７４０Ｌが遮蔽されているセンター照明ユニット７０を示す説明図である。図１１（ｂ）は、センターサイドレンズユニット７４０Ｌが視認可能にされているセンター照明ユニット７０を示す説明図である。
【０１４０】
センターサイドレンズユニット７４０Ｌが遮蔽されている状態を説明する。
左カム７２２は、左平坦部７２２ａが左スライドプレート７１２の左カム摺接部７１２ｅに向けて配置されている。
左スライドプレート７１２は、付勢部材７１６により付勢され、左カム摺接部７１２ｅが左平坦部７２２ａに当接されている。
このとき、駆動左上カバー７６１及び駆動左下カバー７６２は、閉状態であり、センターサイドレンズユニット７４０Ｌを遮蔽している。
【０１４１】
次に、左カム７２２が右方向に回動すると、センターサイドレンズユニット７４０Ｌが視認可能となる。
左カム７２２が右方向に回動すると、左カム摺接部７１２ｅとの左当接面７２２Ａは、左平坦部７２２ａから左突起部７２２ｂに移行する。すると、左スライドプレート７１２は、左突起部７２２ｂに左カム摺接部７１２ｅが押圧され、センターサイドレンズユニット７４０Ｌが配置された方向の反対方向（以降、後方と称する）に、スライド移動する。
【０１４２】
これにより、駆動左上カバー７６１は、左スライドプレート７１２の左駆動上カバーピン係合孔７１２ｂに係合する左上駆動カバーピン７６１ｃが左スライドプレート７１２とともに、後方に移動される。すると、駆動左上カバー７６１は、固定軸７０６を中心として、上方向に回動する。
また、駆動左下カバー７６２は、左スライドプレート７１２の左駆動下カバーピン係合孔７１２ｃに係合する左下駆動カバーピン７６２ｃが左スライドプレート７１２とともに、後方に移動される。すると、駆動左下カバー７６２は、固定軸７０６を中心として、下方向に回動する。
【０１４３】
これにより、駆動左上カバー７６１及び駆動左下カバー７６２は、連動して互いに離間する方向に回動することで、センターサイドレンズユニット７４０Ｌを視認可能とする。
【０１４４】
［役物カバーの摩耗対策］
本実施形態において、センター照明ユニット７０の付勢部材７１６は、例えば、左スライドプレート７１２を駆動左上カバー７６１及び駆動左下カバー７６２が設けられた方向に付勢する。そして、駆動左上カバー７６１及び駆動左下カバー７６２は、左スライドプレート７１２が左カム７２２の左突起部７２２ｂに押圧され、付勢部材７１６によって付勢された方向と逆方向にスライド移動すると、閉状態から開状態は移行する。このように、付勢部材７１６は、例えば、駆動左上カバー７６１及び駆動左下カバー７６２を閉状態とする方向に付勢するため、左カム７２２が磨耗しても、駆動左上カバー７６１及び駆動左下カバー７６２が閉じた状態で隙間が生じる虞がなくなる。
【０１４５】
［役物カバーの収容ケース］
本実施形態において、センター照明ユニット７０の役物ベース７０１は、各部品を差し込んで位置決め可能な下収納ケース７０１ａと、下収納ケース７０１ａと係含することで下収納ケース７０１ａに各部品を狭持して保持可能な上収納ケース７０１ｂとを備えた。これにより、センター照明ユニット７０の製造又はメンテナンスにおいて、下収納ケース７０１ａに各部品を差し込むだけで、各部品の位置決めが可能となるので、作業を省力化できる。
【０１４６】
［役物カバーの組み付け構造１］
本実施形態のセンター照明ユニット７０において、例えば、センター役物レンズユニット７３０は、駆動センター上カバー７６３及び駆動センター下カバー７６４の回動軸となる固定軸７０６の近傍に設けたので、駆動センター上カバー７６３及び駆動センター下カバー７６４の回動を阻害しないとともに、駆動センター上カバー７６３及び駆動センター下カバー７６４が閉状態のときに、センター役物レンズユニット７３０を遮蔽できる。
【０１４７】
［役物カバーの組み付け構造２］
本実施形態のセンター照明ユニット７０において、例えば、センター役物レンズユニット７３０は、役物ベース７０１の下収納ケース７０１ａに嵌め込まれて係合され、ビス一本のみで固定されるので、センター照明ユニット７０を軽量化できるとともに、製造コストを削減できる。なお、嵌め込みが困難な部分を熱蒸着することもできる。
【０１４８】
［役物カバー］
本実施形態のセンター照明ユニット７０において、モータ７２０は、駆動軸７２１に設けられた左カム７２２、センター左カム７２３、センター右カム７２４及び右カム７２５を回転させる。これにより、駆動左上カバー７６１、駆動左下カバー７６２、駆動センター上カバー７６３、駆動センター下カバー７６４、駆動右上カバー７６５及び駆動右下カバー７６６は、個別に動作する。すなわち、１つのモータで複数のカバーに対し、別々の動作を行わせるので、モータの回転に伴う一連の動作を行うのに必要なパルス数の中で一部のカバーのみ動作する部分（例えば、上記８０パルス）のみを順・逆方向に繰り返すことで、当該一部のカバーのみを開閉するように動作させることができる。
【０１４９】
［役物カバーのメッキ処理］
本実施形態のセンター照明ユニット７０において、駆動左上カバー７６１、駆動左下カバー７６２、駆動センター上カバー７６３、駆動センター下カバー７６４、駆動右上カバー７６５及び駆動右下カバー７６６は、ＡＢＳ樹脂及びポリカーボネート樹脂で一体形成した。これにより、センター照明ユニット７０の製造工程におけるメッキ処理において、これらのカバー全体をメッキ処理することで、ＡＢＳ樹脂で形成された部分はメッキされ、ポリカーボネート樹脂で形成された部分はメッキされない。よって、センター照明ユニット７０の製造工程におけるメッキ処理の作業を簡略化できる。
【０１５０】
［役物カバーの駆動構造］
本実施形態のセンター照明ユニット７０において、例えば、駆動軸７２１とモータ７２０とを、相互に変更可能であって、互いにギヤ比が異なるギヤを介して連結できる。これにより、ギヤを変更することで、駆動軸７２１の回転態様を、回転力を重視した回転態様としたり、回転速度を重視した回転態様としたりすることができる。なお、ギヤの変更は、主制御回路７１又は副制御回路７２によって、制御できる。
【０１５１】
本実施形態によれば、以下の効果を奏する。
本実施形態のパチスロ１によれば、まず、駆動左上カバー７６１及び駆動左下カバー７６２は、センターサイドレンズユニット７４０Ｌを遮蔽する閉状態となっている。このとき、駆動左上カバー７６１及び駆動左下カバー７６２と係合する左スライドプレート７１２は、左カム７２２の左平坦部７２２ａの左当接面７２２Ａと当接している。また、駆動センター上カバー７６３及び駆動センター下カバー７６４は、センター役物レンズユニット７３０を遮蔽する閉状態となっている。このとき、駆動センター上カバー７６３及び駆動センター下カバー７６４と係合するセンタースライドプレート左７１３及びセンタースライドプレート右７１４は、センター左カム７２３及びセンター右カム７２４のセンター左平坦部７２３ａ及びセンター右平坦部７２４ａのセンター左当接面７２３Ａ及びセンター右当接面７２４Ａと当接している。
次に、副制御回路７２の制御によりモータ７２０を回転する。これにより、駆動軸７２１とともに、左カム７２２、センター左カム７２３及びセンター右カム７２４が回転する。そして、左カム７２２は、左スライドプレート７１２に摺接しながら回転し、左スライドプレート７１２に当接する左当接面７２２Ａを左平坦部７２２ａから左突起部７２２ｂに移行する。これにより、左スライドプレート７１２は、スライドし、駆動左上カバー７６１及び駆動左下カバー７６２を閉状態から開状態に移行させる。これにより、センターサイドレンズユニット７４０Ｌが視認可能となる。
一方、センター左カム７２３及びセンター右カム７２４は、センタースライドプレート左７１３及びセンタースライドプレート右７１４に摺接しながら回転し、センタースライドプレート左７１３及びセンタースライドプレート右７１４に当接するセンター左当接面７２３Ａ及びセンター右当接面７２４Ａをセンター左平坦部７２３ａ及びセンター右平坦部７２４ａから、上記左突起部７２２ｂが形成された範囲とは異なる範囲に形成されたセンター左突起部７２３ｂ及びセンター右突起部７２４ｂに移行する。これにより、センタースライドプレート左７１３及びセンタースライドプレート右７１４は、スライドし、上記駆動左上カバー７６１及び駆動左下カバー７６２が開状態に移行されたタイミングと異なるタイミングで、駆動センター上カバー７６３及び駆動センター下カバー７６４を閉状態から開状態に移行させる。これにより、センター役物レンズユニット７３０が視認可能となる。
【０１５２】
よって、複数の可動部材である駆動左上カバー７６１及び駆動左下カバー７６２と駆動センター上カバー７６３及び駆動センター下カバー７６４とを、１つのモータ７２０により、それぞれ異なるタイミングで閉状態から開状態に移行できる。
したがって、可動する部材を複数設けることで演出を多様化するとともに、コスト及び可動する部材を動作させるモータの設置スペースを抑えることができる。
【０１５３】
また、本実施形態のパチスロ１によれば、副制御回路７２のモータ７２０の制御により、左カム７２２は、左移行部７２２ｃが形成された範囲において、左スライドプレート７１２に摺接しながら回転し、左スライドプレート７１２に当接する左当接面７２２Ａを左平坦部７２２ａから左突起部７２２ｂに移行する。これにより、左スライドプレート７１２は、スライドし、駆動左上カバー７６１及び駆動左下カバー７６２を閉状態から開状態に移行させる。これにより、センターサイドレンズユニット７４０Ｌが視認可能となる。
一方、センター左カム７２３及びセンター右カム７２４は、センター左平坦部７２３ａ及びセンター右平坦部７２４ａが形成された範囲において、センタースライドプレート左７１３及びセンタースライドプレート右７１４に摺接しながら回転しているので、駆動センター上カバー７６３及び駆動センター下カバー７６４を閉状態のまま維持する。
【０１５４】
よって、複数の可動部材である駆動左上カバー７６１及び駆動左下カバー７６２と駆動センター上カバー７６３及び駆動センター下カバー７６４とのうち、駆動左上カバー７６１及び駆動左下カバー７６２だけを閉状態から開状態に移行できる。すなわち、１つのモータ７２０で、複数の可動部材を個別に可動できる。
したがって、可動する部材を複数設けることで演出を多様化するとともに、コスト及び可動する部材を動作させるモータの設置スペースを抑えることができる。
【０１５５】
以上、実施形態について説明したが、本発明はこれに限られるものではない。
本実施形態では、駆動センター上カバー７６３及び駆動センター下カバー７６４は、駆動左上カバー７６１及び駆動左下カバー７６２並びに駆動右上カバー７６５及び駆動右下カバー７６６が開状態のときにしか、開状態とならないが、これに限られるものではない。例えば、左カム７２２の左突起部７２２ｂ及び右カム７２５の右突起部７２５ｂを、センター左カム７２３のセンター左突起部７２３ｂ及びセンター右カム７２４のセンター右突起部７２４ｂが形成されていない範囲に形成することで、駆動左上カバー７６１及び駆動左下カバー７６２並びに駆動右上カバー７６５及び駆動右下カバー７６６が閉状態のときに、駆動センター上カバー７６３及び駆動センター下カバー７６４を開状態とできる。
【０１５６】
また、本実施形態では、センター照明ユニット７０は、左カム７２２、センター左カム７２３、センター右カム７２４及び右カム７２５を備えるが、これらのカムに限られるものではない。例えば、これらのカムと異なる形状で形成されたカムと、これらのカムを交換することで、駆動左上カバー７６１、駆動左下カバー７６２、駆動センター上カバー７６３、駆動センター下カバー７６４、駆動右上カバー７６５及び駆動右下カバー７６６の動作を変えることができる。
【０１５７】
また、本実施形態では、モータ７２０に８０パルス毎に入力することで、駆動左上カバー７６１、駆動左下カバー７６２、駆動センター上カバー７６３、駆動センター下カバー７６４、駆動右上カバー７６５及び駆動右下カバー７６６を閉状態及び前記開状態の双方向に移行させているが、これに限られるものではない。例えば、モータ７２０に４０パルス毎に入力することで、駆動左上カバー７６１、駆動左下カバー７６２、駆動センター上カバー７６３、駆動センター下カバー７６４、駆動右上カバー７６５及び駆動右下カバー７６６を半開状態に移行することもできる。
【０１５８】
また、左カム７２２、センター左カム７２３、センター右カム７２４及び右カム７２５の突起部の高さを半分にすることでも、半開状態に移行することができる。このように、カムの突起部の高さを変えて、駆動左上カバー７６１、駆動左下カバー７６２、駆動センター上カバー７６３、駆動センター下カバー７６４、駆動右上カバー７６５及び駆動右下カバー７６６の開状態の態様を変化させることで、モータ７２０に入力するパルス数を変化させてこれらのカバーの開状態の態様を変化させた場合に比べて、副制御回路７２の制御負担を軽減できる。
【０１５９】
また、本実施形態では、センター照明ユニット７０における駆動左上カバー７６１、駆動左下カバー７６２、駆動センター上カバー７６３、駆動センター下カバー７６４、駆動右上カバー７６５及び駆動右下カバー７６６を駆動する制御、及びセンター照明ユニット７０及びサイド照明ユニット７５Ｌ，７５Ｒの点灯又は消灯による発光態様、光度及び発光色を調整する制御を副制御回路７２により行っているが、これに限られるものではなく、これらの制御を主制御回路７１により行うこともできる。
【０１６０】
また、本実施形態では、モータ７２０を除く駆動部７００、役物ベース７０１を合成樹脂により形成し、軽量化を図っているが、これに限られるものではなく、これらを金属により形成し、強度の向上を図ることもできる。また、可動する部材のように比較的強度を要求される部材のみを金属により形成し、その他の部材を合成樹脂により形成することで、全体として軽量化を図りつつ、耐久性の向上も期待できる。
例えば、互いに摺接するスライドプレートのカム摺接部とカムの当接面を、金属により形成することで、部材の摩耗を防止できる。
【０１６１】
さらに、本実施形態のようなパチスロ１の他、パチンコ遊技機、ストップボタン７Ｌ，７Ｃ，７Ｒを備えないスロットマシン等の他の遊技機にも本発明を適用できる。
【符号の説明】
【０１６２】
１        パチスロ
７２      副制御回路
２１  表示部
２１ａ  表示部内枠
２１ｂ  表示部外枠
２２  腰部
２３  皿部
７００  駆動部
７０１  役物ベース
７０１ａ  下収納ケース
７０１ｂ  上収納ケース
７０２  左スライドプレート支持部
７０３  センタースライドプレート左支持部
７０４  センタースライドプレート右支持部
７０５  右スライドプレート支持部
７０６  固定軸
７１２  左スライドプレート
７１２ａ  左スライドプレート本体
７１２ｂ  左駆動上カバーピン係合孔
７１２ｃ  左駆動下カバーピン係合孔
７１２ｄ  左固定軸スライド孔
７１２ｅ  左カム摺接部
７１３  センタースライドプレート左
７１３ａ  センター左スライドプレート本体
７１３ｂ  センター左駆動上カバーピン係合孔
７１３ｃ  センター左駆動下カバーピン係合孔
７１３ｄ  センター左固定軸スライド孔
７１３ｅ  センター左カム摺接部
７１４  センタースライドプレート右
７１４ａ  センター右スライドプレート本体
７１４ｂ  センター右駆動上カバーピン係合孔
７１４ｃ  センター右駆動下カバーピン係合孔
７１４ｄ  センター右固定軸スライド孔
７１４ｅ  センター右カム摺接部
７１５  右スライドプレート
７１５ａ  右スライドプレート本体
７１５ｂ  右駆動上カバーピン係合孔
７１５ｃ  右駆動下カバーピン係合孔
７１５ｄ  右固定軸スライド孔
７１５ｅ  右カム摺接部
７１６  付勢部材
７２０  モータ
７２１  駆動軸
７２２  左カム
７２２Ａ  左当接面
７２２ａ  左平坦部
７２２ｂ  左突起部
７２２ｃ  左移行部
７２３  センター左カム
７２３Ａ  センター左当接面
７２３ａ  センター左平坦部
７２３ｂ  センター左突起部
７２４  センター右カム
７２４Ａ  センター右当接面
７２４ａ  センター右平坦部
７２４ｂ  センター右突起部
７２５  右カム
７２５Ａ  右当接面
７２５ａ  右平坦部
７２５ｂ  右突起部
７２５ｃ  右移行部
７３０  センター役物レンズユニット
７３１  センター役物メインレンズ
７３２  センター役物サブレンズ
７３６  メインレンズＬＥＤ基板
７３７  サブレンズＬＥＤ基板
７４０Ｌ、７４０Ｒ  センターサイドレンズユニット
７４１Ｌ、７４１Ｒ  センターラインレンズ
７４２Ｌ、７４２Ｒ  透明レンズ
７４３Ｌ、７４３Ｒ  メッキ部
７４４Ｌ、７４４Ｒ  透明赤色レンズ
７４５Ｌ、７４５Ｒ  ラインレンズカバー
７４６Ｌ  左センターライン左ＬＥＤ基板
７４６Ｒ  右センターライン左ＬＥＤ基板
７４７Ｌ  左センターライン右ＬＥＤ基板
７４７Ｒ  右センターライン右ＬＥＤ基板
７４８Ｌ  左サイドレンズＬＥＤ基板
７４８Ｒ  右サイドレンズＬＥＤ基板
７６１  駆動左上カバー
７６１ａ  左上カバー本体
７６１ｂ  左上固定軸挿通孔
７６１ｃ  左上駆動カバーピン
７６２  駆動左下カバー
７６２ａ  左下カバー本体
７６２ｂ  左下固定軸挿通孔
７６２ｃ  左下駆動カバーピン
７６３  駆動センター上カバー
７６３ａ  センター上カバー本体
７６３ｂ  センター上固定軸挿通孔
７６３ｃ  センター上駆動カバーピン
７６４  駆動センター下カバー
７６４ａ  センター下カバー本体
７６４ｂ  センター下固定軸挿通孔
７６４ｃ  センター下駆動カバーピン
７６５  駆動右上カバー
７６５ａ  右上カバー本体
７６５ｂ  右上固定軸挿通孔
７６５ｃ  右上駆動カバーピン
７６６  駆動右下カバー
７６６ａ  右下カバー本体
７６６ｂ  右下固定軸挿通孔
７６６ｃ  右下駆動カバーピン
【図１】
2011087756.tif 000003
【図２】
2011087756.tif 000004
【図３】
2011087756.tif 000005
【図４】
2011087756.tif 000006
【図５】
2011087756.tif 000007
【図６】
2011087756.tif 000008
【図７】
2011087756.tif 000009
【図８】
2011087756.tif 000010
【図９】
2011087756.tif 000011
【図１０】
2011087756.tif 000012
【図１１】
2011087756.tif 000013